(57)【特許請求の範囲】
【請求項１】
ループ状の紐部と、前記ループ状の紐部の両端部を留める留板部と、から成り、
前記ループ状の紐部内に自動車のシートベルトが通され、前記紐部が前記自動車のシートの背もたれ部と腰掛部との間に挟まれ、前記留板部が前記背もたれ部と前記腰掛部の両者により支持され、前記ループ状の紐部が前記シートベルトを引っ張った状態で着席者に装着されることを特徴とするシートベルト用装着補助具。
【請求項２】
ループ状の紐部と、前記ループ状の紐部に接続されるバンド部と、前記バンド部に接続される留板部と、から成り、
前記ループ状の紐部内に自動車のシートベルトが通され、前記バンド部が前記自動車のシートの背もたれ部と腰掛部との間に挟まれ、前記留板部が前記背もたれ部と前記腰掛部の両者により支持され、前記ループ状の紐部が前記シートベルトを引っ張った状態で着席者に装着されることを特徴とするシートベルト用装着補助具。
【請求項３】
自動車のシートベルトが通過する切れ目を有するループ部と、前記ループ部に接続されるバンド部と、前記バンド部に接続される留板部と、から成り、
前記ループ部内に前記切れ目を通過して前記シートベルトが通され、前記バンド部が前記自動車のシートの背もたれ部と腰掛部との間に挟まれ、前記留板部が前記背もたれ部と前記腰掛部の両者により支持され、前記ループ部が前記シートベルトを引っ張った状態で着席者に装着されることを特徴とするシートベルト用装着補助具。
【発明の詳細な説明】
【０００１】
【発明の属する技術分野】
本発明は、自動車のシートベルト用の装着補助具に関する。
【０００２】
【従来の技術】
従来、実開平６−７９６６８号公報で、自動車のシートベルトの装着補助器が提案されている。
この従来例は、楕円の輪に紐をつけた構造のもので、この輪にシートベルトを通して、シートベルトの装着時に紐を引っ張り、シートベルトをくの字型に引っ張ることにより、身長の低い着席者でも容易にシートベルトを装着することができるようにしたものである。
【０００３】
【発明が解決しようとする課題】
しかし、この従来例は、装着時にはシートベルトをくの字型に一時的に引っ張るが、装着後には手から紐を離し、シートベルトを元の状態に戻し、くの字型に引っ張っている状態を維持しないため、シートベルト装着後に身長の低い着席者が、シートベルトを装着し続けること困難であるという問題点があった。
そこで、本発明は、シートベルトを装着後においても、シートベルトを引っ張った状態に維持し、身長の低い着席者も容易に装着し続けることができるシートベルトの装着補助具を提供することを目的とする。
【０００４】
【課題を解決するための手段】
請求項１の本発明は、ループ状の紐部と、前記ループ状の紐部の両端部を留める留板部と、から成り、
前記ループ状の紐部内に自動車のシートベルトが通され、前記紐部が前記自動車のシートの背もたれ部と腰掛部との間に挟まれ、前記留板部が前記背もたれ部と前記腰掛部の両者により支持され、前記ループ状の紐部が前記シートベルトを引っ張った状態で着席者に装着されることを特徴とするシートベルト用装着補助具である。
【０００５】
請求項２の本発明は、ループ状の紐部と、前記ループ状の紐部に接続されるバンド部と、前記バンド部に接続される留板部と、から成り、
前記ループ状の紐部内に自動車のシートベルトが通され、前記バンド部が前記自動車のシートの背もたれ部と腰掛部との間に挟まれ、前記留板部が前記背もたれ部と前記腰掛部の両者により支持され、前記ループ状の紐部が前記シートベルトを引っ張った状態で着席者に装着されることを特徴とするシートベルト用装着補助具である。
【０００６】
請求項３の本発明は、自動車のシートベルトが通過する切れ目を有するループ部と、前記ループ部に接続されるバンド部と、前記バンド部に接続される留板部と、から成り、
前記ループ部内に前記切れ目を通過して前記シートベルトが通され、前記バンド部が前記自動車のシートの背もたれ部と腰掛部との間に挟まれ、前記留板部が前記背もたれ部と前記腰掛部の両者により支持され、前記ループ部が前記シートベルトを引っ張った状態で着席者に装着されることを特徴とするシートベルト用装着補助具である。
【０００７】
請求項１の本発明のシートベルト用装着補助具４によれば、図２、図３に示されるようにループ状の紐部４ｂと、ループ状の紐部４ｂの両端部４ｃを留める留板部４ａと、から成る。
さらに、図１に示されるように、ループ状の紐部４ｂ内に自動車のシートベルト２が通され、図４に示されるように、紐部４ｂが自動車のシート１の背もたれ部１ａと腰掛部１ｂとの間に挟まれ、留板部４ａが背もたれ部１ａと腰掛部１ｂの両者により支持され、ループ状の紐部ｂがシートベルト２を引っ張った状態で着席者３に装着される。
このため、シートベルト２を装着後においても、シートベルト２を引っ張った状態に維持し、身長の低い着席者３も容易に装着し続けることができる。
【０００８】
請求項２の本発明のシートベルト用装着補助具４ｎによれば、図５に示されるように、ループ状の紐部４ｐと、ループ状の紐部４ｐに接続されるバンド部４ｇと、バンド部４ｇに接続される留板部４ｈと、から成る。
さらに、ループ状の紐部４ｐ内に図１と同様に自動車のシートベルト２が通され、バンド部４ｇが図４と同様に自動車のシート１の背もたれ部１ａと腰掛部１ｂとの間に挟まれて、留板部４ｈが背もたれ部１ａと腰掛部１ｂの両者により支持され、ループ状の紐部４ｐがシートベルト２を引っ張った状態で着席者３に装着される。
このため、シートベルト２を装着後においても、シートベルト２を引っ張った状態に維持し、身長の低い着席者３も容易に装着し続けることができる。
【０００９】
請求項３の本発明のシートベルト用装着補助具４ｄ，４ｉによれば、図６、図７に示されるように、合成樹脂、金属等から成り、自動車のシートベルト２が図１と同様に通過する切れ目４ｆ，４ｋを有するループ部４ｅ，４ｊと、ループ部４ｅ，４ｊに接続されるバンド部４ｇと、バンド部４ｇに接続される留板部４ｈと、から成る。
さらに、ループ部４ｅ，４ｊ内に切れ目４ｆ，４ｋを通過して図１と同様にシートベルト２が通され、バンド部４ｇが図４と同様に自動車のシート１の背もたれ部１ａと腰掛部１ｂとの間に挟まれて、留板部４ｈが背もたれ部１ａと腰掛部１ｂの両者により支持され、ループ部４ｅ，４ｊがシートベルト２を引っ張った状態で着席者３に装着される。
このため、シートベルト２を装着後においても、シートベルト２を引っ張った状態に維持し、身長の低い着席者３も容易に装着し続けることができる。
【００１０】
【発明の実施の形態】
以下、本発明を、図面を参照して、その実施の形態に基づいて説明する。
本発明のシートベルト用装着補助具４は、図２、図３に示されるようにループ状の紐部４ｂと、ループ状の紐部４ｂの両端部４ｃを留める留板部４ａと、から成る。  両端部４ｃは、例えば、加熱することにより溶着される。
さらに、図１に示されるように、ループ状の紐部４ｂ内に自動車のシートベルト２が通され、図４に示されるように、紐部４ｂが自動車のシート１の背もたれ部１ａと腰掛部１ｂとの間に挟まれて、留板部４ａが背もたれ部１ａと腰掛部１ｂの両者により支持され、ループ状の紐部ｂがシートベルト２を引っ張った状態で着席者３に装着される。
【００１１】
次に、本発明のシートベルト用装着補助具４ｎは、図５に示されるように、ループ状の紐部４ｐと、ループ状の紐部４ｐに接続されるバンド部４ｇと、バンド部４ｇに接続される留板部４ｈと、から成る。  図５、図８に示されるように、バンド部４ｇは、留め金４ｍを有し、その長さが調整される。
さらに、ループ状の紐部４ｐ内に図１と同様に自動車のシートベルト２が通され、バンド部４ｇが自動車のシート１の背もたれ部１ａと腰掛部１ｂとの間に挟まれ、留板部４ｈが背もたれ部１ａと腰掛部１ｂの両者により支持され、ループ状の紐部４ｐがシートベルト２を引っ張った状態で着席者３に装着される。
【００１２】
次に、本発明のシートベルト用装着補助具４ｄ，４ｉは、図６、図７に示されるように、合成樹脂、金属等から成り、自動車のシートベルト２が図１と同様に通過する切れ目４ｆ，４ｋを有するループ部４ｅ，４ｊと、ループ部４ｅ，４ｊに接続されるバンド部４ｇと、バンド部４ｇに接続される留板部４ｈと、から成る。
図６、図７、図８に示されるように、バンド部４ｇは、留め金４ｍを有し、その長さが調整される。
さらに、ループ部４ｅ，４ｊ内に切れ目４ｆ，４ｋを通過して図１と同様にシートベルト２が通され、バンド部４ｇが自動車のシート１の背もたれ部１ａと腰掛部１ｂとの間に挟まれ、留板部４ｈが背もたれ部１ａと腰掛部１ｂの両者により支持され、ループ部４ｅ，４ｊがシートベルト２を引っ張った状態で着席者３に装着される。
以上の部品の材料は、合成樹脂等から成る。
【００１３】
【発明の効果】
本発明は、以上説明したように、シートベルトを装着後においても、シートベルトを引っ張った状態に維持し、身長の低い着席者も容易に装着し続けることができるという効果を奏する。
【図面の簡単な説明】
【図１】  本発明の一実施の形態の使用状態図である。
【図２】  本発明の一実施の形態の構成図である。
【図３】  本発明の一実施の形態の構成図である。
【図４】  本発明の一実施の形態の使用状態図である。
【図５】  本発明の他の実施の形態の構成図である。
【図６】  本発明の他の実施の形態の構成図である。
【図７】  本発明の他の実施の形態の構成図である。
【図８】  本発明の実施の形態の部分構成図である。
【符号の説明】
１ 自動車のシート   ２  自動車のシートベルト ３  着席者
４、４ｄ、４ｉ、４ｎ  シートベルト用装着補助具
４ａ、４ｈ  留板部  ４ｂ  ループ状の紐部  ４ｃ  両端部  ４ｄ
４ｅ、４ｊ  ループ部  ４ｇ  バンド部    ４ｆ、４ｋ  切れ目
【図１】
0003690970.tif 000002
【図２】
0003690970.tif 000003
【図３】
0003690970.tif 000004
【図４】
0003690970.tif 000005
【図５】
0003690970.tif 000006
【図６】
0003690970.tif 000007
【図７】
0003690970.tif 000008
【図８】
0003690970.tif 000009